(57)【特許請求の範囲】
【請求項１】
カードに印字されている文字情報と、前記カードに記録されているデジタル情報とを読み取るためのカード情報読取装置であって、
前記カードは、第１の面と、前記第１の面に対向する第２の面とを備え、
前記文字情報は、前記第１の面に印字され、
前記デジタル情報は、前記第２の面に備えられたＩＣチップに記録され、
前記カード情報読取装置は、
前記文字情報を撮像する撮像部と、
前記撮像部によって撮像された文字情報を文字認識する認識部と、
前記認識部によって文字認識された文字情報に基づいて、前記デジタル情報の読取のために必要なキー情報を作成する作成部と、
前記作成部によって作成されたキー情報を用いて、前記カードから、前記デジタル情報を読み取る読取部と、
前記撮像部と前記読取部とが組み込まれた筐体と、
前記筐体の内部に設けられ、前記カードの前記撮像部による撮像時および前記読取部による読取時に、前記カードを載置するための載置部と、
前記載置部に載置されたカードの前記第１の面の撮像時に、前記筐体の周囲の光を、前記第１の面を照明する照明光として前記筐体の内部に取り込むために、前記筐体の一部に設けられた光取込部とを備えた、カード情報読取装置。
【請求項２】
前記載置部は、前記撮像部と前記読取部との間に配置され、
前記第１の面が前記撮像部の方を向き、前記第２の面が前記読取部の方を向くように、前記カードが前記載置部に載置される、請求項１に記載のカード情報読取装置。
【請求項３】
前記載置部に載置される前記カードの位置合わせのための位置合わせ部を備えた、請求項１または２に記載のカード情報読取装置。
【請求項４】
前記読取部は、前記ＩＣチップに記録された情報を、電気的に読み取るＩＣカードリーダである、請求項１乃至３のうち何れか１項に記載のカード情報読取装置。
【請求項５】
カードに印字されている文字情報と、前記カードに記録されているデジタル情報とを読み取るためのカード情報読取装置であって、
読取前の複数のカードを収納するためのカードストッカと、
読取処理がなされるカードが載置される載置部を有する読取台と、
前記カードストッカに収納されたカードから、一枚のカードを、前記載置部に載置する手段と、
前記載置部に載置されたカードに印字されている文字情報を撮像する撮像部と、
前記撮像部によって撮像された文字情報を文字認識する認識部と、
前記認識部によって文字認識された文字情報に基づいて、前記載置部に載置されたカードに記録されているデジタル情報の読取のために必要なキー情報を作成する作成部と、
前記作成部によって作成されたキー情報を用いて、前記載置部に載置されたカードに記録されているデジタル情報を読み取る読取部と、
前記読取部による読取がなされたカードを、前記載置部から排出する手段とを備えた、カード情報読取装置。
【請求項６】
前記カードが前記載置部から排出されると、前記載置する手段は、前記カードストッカに収納された残りのカードから、他の一枚のカードを、前記載置部に載置することを許可される、請求項５に記載のカード情報読取装置。
【請求項７】
前記排出する手段は、前記載置部から前記カードを落下させるために、前記載置部を下方に傾ける手段を備えた、請求項５または６に記載のカード情報読取装置。
【請求項８】
前記排出されたカードを回収するカード回収ボックスをさらに備えた、請求項５乃至７のうち何れか１項に記載のカード情報読取装置。
【請求項９】
前記読取部による読取がなされたカードを、読取結果に応じて振り分ける振分判定部をさらに備えた、請求項５に記載のカード情報読取装置。
【請求項１０】
前記振分判定部による振り分け結果に対応してそれぞれ設けられた各回収部を含むカード回収ボックスをさらに備えた、請求項９に記載のカード情報読取装置。
【請求項１１】
前記振分判定部によって振り分けられたカードを、前記振り分け結果に対応して設けられた回収部によって回収する手段を備えた、請求項１０に記載のカード情報読取装置。
【請求項１２】
前記振分判定部は、前記読取部による読取がなされたカードを、少なくとも、前記読取結果に問題のないＯＫカード、又は前記読取結果に問題のあるＮＧカードに振り分け、
前記回収部は、前記ＮＧカードに対応したＮＧカード用回収部と、前記ＯＫカードに対応したＯＫカード用回収部とを含む、請求項１１に記載のカード情報読取装置。
【請求項１３】
前記カードは、第１の面と、前記第１の面に対向する第２の面とを備え、
前記文字情報は、前記第１の面に印字され、
前記デジタル情報は、前記第２の面に備えられたＩＣチップに記録されている、請求項５乃至１２のうち何れか１に記載のカード情報読取装置。
【請求項１４】
前記読取前の複数のカードは、隣接するカードの前記第１の面同士が接触しないように積層されて前記カードストッカに収納される、請求項１３に記載のカード情報読取装置。
【請求項１５】
前記第１の面が前記撮像部側を向き、前記第２の面が前記読取部側を向くように、前記カードが前記載置部に載置される、請求項１３または１４に記載のカード情報読取装置。
【請求項１６】
前記載置部に載置されたカードの前記第１の面を照明する光源を備えた、請求項１３乃至１５のうちいずれか一項に記載のカード情報読取装置。
【請求項１７】
前記読取部は、前記ＩＣチップに記録された情報を、電気的に読み取るＩＣカードリーダである、請求項１３乃至１６のうち何れか１項に記載のカード情報読取装置。
【請求項１８】
前記カードは、マイナンバーカードである、請求項１乃至１７のうち何れか１項に記載のカード情報読取装置。
【請求項１９】
カードに印字されている文字情報と、前記カードに記録されているデジタル情報とをカード情報読取装置を用いて読み取るためのカード情報読取方法であって、
前記カードは、第１の面と、前記第１の面に対向する第２の面とを備え、
前記文字情報は、前記第１の面に印字され、
前記デジタル情報は、前記第２の面に備えられたＩＣチップに記録され、
前記カード情報読取装置は、
前記文字情報を撮像する撮像部と、
前記撮像部によって撮像された文字情報を文字認識する認識部と、
前記認識部によって文字認識された文字情報に基づいて、前記デジタル情報の読取のために必要なキー情報を作成する作成部と、
前記作成部によって作成されたキー情報を用いて、前記カードから、前記デジタル情報を読み取る読取部と、
前記撮像部と前記読取部とが組み込まれた筐体と、
前記筐体の内部に設けられ、前記カードの前記撮像部による撮像時および前記読取部による読取時に、前記カードを載置するための載置部と、
前記載置部に載置されたカードの前記第１の面の撮像時に、前記筐体の周囲の光を、前記第１の面を照明する照明光として前記筐体の内部に取り込むために、前記筐体の一部に設けられた光取込部とを備え、
前記カード情報読取装置が、
前記載置部に載置された前記カードが、前記光取込部から取り込まれた照明光によって前記第１の面が照明された状態で、前記撮像部によって、前記文字情報を撮像し、
前記撮像された文字情報を前記認識部によって文字認識し、
前記文字認識された文字情報に基づいて、前記デジタル情報の読取のために必要なキー情報を前記作成部によって作成し、
前記作成されたキー情報を用いて、前記読取部によって前記カードから、前記デジタル情報を読み取る、カード情報読取方法。
【請求項２０】
カードに印字されている文字情報と、前記カードに記録されているデジタル情報とをカード情報読取装置を用いて読み取るためのカード情報読取方法であって、
前記カード情報読取装置が、
読取前の複数のカードをカードストッカに収納し、
前記カードストッカに収納されたカードから、一枚のカードを、載置部に載置し、
前記載置部に載置されたカードに印字されている文字情報を撮像し、
前記撮像された文字情報を文字認識し、
前記文字認識された文字情報に基づいて、前記載置部に載置されたカードに記録されているデジタル情報の読取のために必要なキー情報を作成し、
前記作成されたキー情報を用いて、前記載置部に載置されたカードに記録されているデジタル情報を読み取り、
前記読み取りがなされたカードを、前記載置部から排出する、カード情報読取方法。
【請求項２１】
前記カード情報読取装置は、前記カードが前記載置部から排出されると、前記カードストッカに収納された残りのカードから、他の一枚のカードを、前記載置部に載置する、請求項２０に記載のカード情報読取方法。
【請求項２２】
前記カード情報読取装置は、前記カードを排出する場合、前記載置部から前記カードを落下させるために、前記載置部を下方に傾ける、請求項２０または２１に記載のカード情報読取方法。
【請求項２３】
前記カード情報読取装置は、前記排出されたカードを、カード回収ボックスにおいて回収する、請求項２０乃至２２のうち何れか１項に記載のカード情報読取方法。
【請求項２４】
前記カード情報読取装置は、前記読取がなされたカードを、読取結果に応じて振り分ける、請求項２０に記載のカード情報読取方法。
【請求項２５】
前記カード情報読取装置は、前記振り分け結果に対応してそれぞれ設けられた各回収部を含むカード回収ボックスを備えた、請求項２４に記載のカード情報読取方法。
【請求項２６】
前記カード情報読取装置は、前記振り分けられたカードを、前記振り分け結果に対応して設けられた回収部において回収する、請求項２５に記載のカード情報読取方法。
【請求項２７】
前記デジタル情報は、前記カードに備えられたＩＣチップに記録されており、
前記カード情報読取装置は、前記ＩＣチップに記録された情報を、ＩＣカードリーダによって、電気的に読み取る、請求項２０乃至２６のうち何れか１項に記載のカード情報読取方法。
【請求項２８】
前記カードは、マイナンバーカードである、請求項１９乃至２７のうち何れか１項に記載のカード情報読取方法。
【請求項２９】
カードに印字されている文字情報と、前記カードに記録されているデジタル情報とをカード情報読取装置を用いて読み取るためのプログラムであって、
収納された複数のカードから、一枚のカードを抽出する機能、
前記抽出されたカードに印字されている文字情報を撮像する機能、
前記撮像された文字情報を文字認識する機能、
前記文字認識された文字情報に基づいて、前記抽出されたカードに記録されているデジタル情報の読取のために必要なキー情報を作成する機能、
前記作成されたキー情報を用いて、前記抽出されたカードに記録されているデジタル情報を読み取る機能、
前記読取がなされたカードを、読取結果に応じて振り分ける機能を、前記カード情報読取装置のプロセッサに実現させるためのプログラム。
【請求項３０】
前記振り分けがなされた後、前記収納された複数のカードから、他の一枚のカードを抽出する機能を、前記カード情報読取装置のプロセッサに実現させるための請求項２９に記載のプログラム。
【発明の詳細な説明】
【技術分野】
【０００１】
本発明は、例えばマイナンバーカードのようなカードに記録されている情報の読取に好適なカード情報読取装置、方法、およびプログラムに関する。
【背景技術】
【０００２】
総務省によって、マイナンバーカードが推進されている（非特許文献１参照）。
【０００３】
マイナンバーカードは、表面（おもてめん）には、住所、氏名、生年月日、性別といった基本４情報が印字されている。また、裏面（うらめん）には、ＩＣチップが備えられており、ＩＣチップには、署名用電子証明書と利用者証明用電子証明書という公的個人認証サービスによる２つの電子証明書が標準的に記録されている。署名用電子証明書は、氏名、住所、生年月日、性別の基本４情報が記載されており、ｅ−ＴＡＸによる確定申告など電子文書を送信する際に使用することができる。利用者証明用電子証明書は、マイナポータルやコンビニエンスストア交付の利用時等、本人であることを証明する手段として使用できる。
【０００４】
このようなマイナンバーカードは、本人からの申請に応じて、本人に交付される。
【０００５】
各自治体は、マイナンバーカードの申請がなされると、そのステータスを管理する必要がある。マイナンバーカードは、有効期限（年齢に応じて５年または１０年）があること、または、利用終了時（申請者死亡時）には返却を要することから、管理すべき主なステータスとしては、申請、交付、更新、返却がある。
【０００６】
これらステータスを、マイナンバーカード一枚ごとに管理するために、各自治体では、マイナンバーカードの申請に応じてＪ−ＬＩＳ（地方公共団体情報システム機構）からマイナンバーカードが送られてくると、申請者に交付する前に、マイナンバーカードの券面等に記載された基本４情報等を利用し、管理台帳を作成する必要がある。
【０００７】
そして、マイナンバーカードの交付が完了した場合には、そのマイナンバーカードについての交付日を、台帳に入力する。また、更新された場合には、そのマイナンバーカードについての更新日を、返却された場合にはそのマイナンバーカードについての返却日を、管理台帳に入力することによって、マイナンバーカード一枚ごとに、そのステータスを管理している。
【先行技術文献】
【非特許文献】
【０００８】
【非特許文献１】マイナンバーカード総合サイト、kojinbango-card.go.jp/kofushinse、（令和元年１０月３０日検索）
【発明の概要】
【発明が解決しようとする課題】
【０００９】
しかしながら、このようなマイナンバーカードの管理方法では、以下のような問題がある。
【００１０】
すなわち、上述したように、管理台帳を作成するためには、マイナンバーカードの券面等に記載された基本４情報（住所、氏名、生年月日、性別）等を読み取る必要がある。
【００１１】
ＩＣチップから基本４情報を読み取る手法はいくつかあるが、その中の一つに、例えばマイナンバーカード券面に印字されている固有のキー情報を組み合わせて入力することで取得する手法がある。このキー情報には、マイナンバーカードの表面に印字されている生年月日を表す６桁の数字、有効期限を表す４桁の数字、およびセキュリティコードを表す４桁の数字を並べて決定される１４桁の数字が使用される。
【００１２】
従来は、ＩＣチップからの基本４情報の読み取りは、人的作業によってなされている。すなわち、先ず、操作担当者が、マイナンバーカードの表面に印字されている生年月日を表す６桁の数字、有効期限を表す４桁の数字、およびセキュリティコードを表す４桁の数字を目視により読み取り、次に、これら読み取った数字を連結して１４桁の数字を作成し、更に、この１４桁の数字をキー情報として、専用のソフトウェアに入力することによって、ＩＣチップから基本４情報が読み取られている。
【００１３】
しかしながら、このような人的作業は、操作担当者の負担も大きい。また、作業効率が、操作担当者のスキルに依存するために、一日に処理できる枚数も、操作担当者毎に大きく変わってしまう。例えば、数字の読み取りに誤りがあると、正しいキー情報を作成できないために、ＩＣチップから基本４情報を読み出すことができず、再度数字を読み取る必要があるので、作業効率が低下してしまう。また、この種の誤読取は、長時間の単純な作業の繰り返しにより、集中力が低下すると、益々増加する傾向にある。
【００１４】
したがって、マイナンバーカードの表面に印字されている数字の読み取りを自動化することによって、操作担当者のスキルに依存することなく、短時間に正確に数字を読み取り、読み取った数字に基づいてキー情報を作成し、このキー情報を用いて、ＩＣチップから基本４情報を読み取る処理までを自動的に行う装置の実現が望まれている。
【００１５】
本発明は、このような事情を鑑みてなされたものであり、カードに印字されている数字を含む文字情報を認識し、認識結果に基づいてキー情報を作成し、キー情報を使ってＩＣチップから情報を読み取る処理までを自動的に実施することが可能なカード情報読取装置、方法、およびプログラムを提供することを目的とする。
【課題を解決するための手段】
【００１６】
上記の目的を達成するために、本発明では、以下のような手段を講じる。
【００１７】
すなわち、請求項１の発明は、カードに印字されている文字情報と、前記カードに記録されているデジタル情報とを読み取るためのカード情報読取装置であって、前記カードは、第１の面と、前記第１の面に対向する第２の面とを備え、前記文字情報は、前記第１の面に印字され、前記デジタル情報は、前記第２の面に備えられたＩＣチップに記録され、前記カード情報読取装置は、前記文字情報を撮像する撮像部と、前記撮像部によって撮像された文字情報を文字認識する認識部と、前記認識部によって文字認識された文字情報に基づいて、前記デジタル情報の読取のために必要なキー情報を作成する作成部と、前記作成部によって作成されたキー情報を用いて、前記カードから、前記デジタル情報を読み取る読取部と、前記撮像部と前記読取部とが組み込まれた筐体と、前記筐体の内部に設けられ、前記カードの前記撮像部による撮像時および前記読取部による読取時に、前記カードを載置するための載置部と、前記載置部に載置されたカードの前記第１の面の撮像時に、前記筐体の周囲の光を、前記第１の面を照明する照明光として前記筐体の内部に取り込むために、前記筐体の一部に設けられた光取込部とを備えている。
【００２０】
請求項２の発明は、請求項１に記載のカード情報読取装置において、前記載置部は、前記撮像部と前記読取部との間に配置され、前記第１の面が前記撮像部の方を向き、前記第２の面が前記読取部の方を向くように、前記カードが前記載置部に載置される。
【００２１】
請求項３の発明は、請求項１または２に記載のカード情報読取装置において、前記載置部に載置される前記カードの位置合わせのための位置合わせ部を備えている。
【００２２】
請求項４の発明は、請求項１乃至３のうち何れか１項に記載のカード情報読取装置において、前記読取部は、前記ＩＣチップに記録された情報を、電気的に読み取るＩＣカードリーダである。
【００２３】
請求項５の発明は、カードに印字されている文字情報と、前記カードに記録されているデジタル情報とを読み取るためのカード情報読取装置であって、読取前の複数のカードを収納するためのカードストッカと、読取処理がなされるカードが載置される載置部を有する読取台と、前記カードストッカに収納されたカードから、一枚のカードを、前記載置部に載置する手段と、前記載置部に載置されたカードに印字されている文字情報を撮像する撮像部と、前記撮像部によって撮像された文字情報を文字認識する認識部と、前記認識部によって文字認識された文字情報に基づいて、前記載置部に載置されたカードに記録されているデジタル情報の読取のために必要なキー情報を作成する作成部と、前記作成部によって作成されたキー情報を用いて、前記載置部に載置されたカードに記録されているデジタル情報を読み取る読取部と、前記読取部による読取がなされたカードを、前記載置部から排出する手段とを備えている。
【００２４】
請求項６の発明は、請求項５に記載のカード情報読取装置において、前記カードが前記載置部から排出されると、前記載置する手段は、前記カードストッカに収納された残りのカードから、他の一枚のカードを、前記載置部に載置することを許可される。
【００２５】
請求項７の発明は、請求項５または６に記載のカード情報読取装置において、前記排出する手段は、前記載置部から前記カードを落下させるために、前記読取台を下方に傾ける手段を備えている。
【００２６】
請求項８の発明は、請求項５乃至７のうち何れか１項に記載のカード情報読取装置において、前記排出されたカードを回収するカード回収ボックスをさらに備えている。
【００２７】
請求項９の発明は、請求項５に記載のカード情報読取装置において、前記読取部による読取がなされたカードを、読取結果に応じて振り分ける振分判定部をさらに備えている。
【００２８】
請求項１０の発明は、請求項９に記載のカード情報読取装置において、前記振分判定部による振り分け結果に対応してそれぞれ設けられた各回収部を含むカード回収ボックスを備えている。
【００２９】
請求項１１の発明は、請求項１０に記載のカード情報読取装置において、前記振分判定部によって振り分けられたカードを、前記振り分け結果に対応して設けられた回収部によって回収する手段を備えている。
【００３０】
請求項１２の発明は、請求項１１に記載のカード情報読取装置において、前記振分判定部は、前記読取部による読取がなされたカードを、少なくとも、前記読取結果に問題のないＯＫカード、又は前記読取結果に問題のあるＮＧカードに振り分け、前記回収部は、前記ＮＧカードに対応したＮＧカード用回収部と、前記ＯＫカードに対応したＯＫカード用回収部とを含んでいる。
【００３１】
請求項１３の発明は、請求項５乃至１２のうち何れか１に記載のカード情報読取装置において、前記カードは、第１の面と、前記第１の面に対向する第２の面とを備え、前記文字情報は、前記第１の面に印字され、前記デジタル情報は、前記第２の面に備えられたＩＣチップに記録されている。
【００３２】
請求項１４の発明は、請求項１３に記載のカード情報読取装置において、前記読取前の複数のカードは、隣接するカードの前記第１の面同士が接触しないように積層されて前記カードストッカに収納される。
【００３３】
請求項１５の発明は、請求項１３または１４に記載のカード情報読取装置において、前記第１の面が前記撮像部側を向き、前記第２の面が前記読取部側を向くように、前記カードが前記載置部に載置される。
【００３４】
請求項１６の発明は、請求項１３乃至１５のうちいずれか一項に記載のカード情報読取装置において、前記載置部に載置されたカードの前記第１の面を照明する光源を備えている。
【００３５】
請求項１７の発明は、請求項１３乃至１６のうち何れか１項に記載のカード情報読取装置において、前記読取部は、前記ＩＣチップに記録された情報を、電気的に読み取るＩＣカードリーダである。
【００３６】
請求項１８の発明は、請求項１乃至１７のうち何れか１項に記載のカード情報読取装置において、前記カードは、マイナンバーカードである。
【００３７】
請求項１９の発明は、カードに印字されている文字情報と、前記カードに記録されているデジタル情報とをカード情報読取装置を用いて読み取るためのカード情報読取方法であって、前記カードは、第１の面と、前記第１の面に対向する第２の面とを備え、前記文字情報は、前記第１の面に印字され、前記デジタル情報は、前記第２の面に備えられたＩＣチップに記録され、前記カード情報読取装置は、前記文字情報を撮像する撮像部と、前記撮像部によって撮像された文字情報を文字認識する認識部と、前記認識部によって文字認識された文字情報に基づいて、前記デジタル情報の読取のために必要なキー情報を作成する作成部と、前記作成部によって作成されたキー情報を用いて、前記カードから、前記デジタル情報を読み取る読取部と、前記撮像部と前記読取部とが組み込まれた筐体と、前記筐体の内部に設けられ、前記カードの前記撮像部による撮像時および前記読取部による読取時に、前記カードを載置するための載置部と、前記載置部に載置されたカードの前記第１の面の撮像時に、前記筐体の周囲の光を、前記第１の面を照明する照明光として前記筐体の内部に取り込むために、前記筐体の一部に設けられた光取込部とを備え、前記カード情報読取装置が、前記載置部に載置された前記カードが、前記光取込部から取り込まれた照明光によって前記第１の面が照明された状態で、前記撮像部によって、前記文字情報を撮像し、前記撮像された文字情報を前記認識部によって文字認識し、前記文字認識された文字情報に基づいて、前記デジタル情報の読取のために必要なキー情報を前記作成部によって作成し、前記作成されたキー情報を用いて、前記読取部によって前記カードから、前記デジタル情報を読み取る。
【００３８】
請求項２０の発明は、カードに印字されている文字情報と、前記カードに記録されているデジタル情報とをカード情報読取装置を用いて読み取るためのカード情報読取方法であって、前記カード情報読取装置が、読取前の複数のカードをカードストッカに収納し、前記カードストッカに収納されたカードから、一枚のカードを、載置部に載置し、前記載置部に載置されたカードに印字されている文字情報を撮像し、前記撮像された文字情報を文字認識し、前記文字認識された文字情報に基づいて、前記載置部に載置されたカードに記録されているデジタル情報の読取のために必要なキー情報を作成し、前記作成されたキー情報を用いて、前記載置部に載置されたカードに記録されているデジタル情報を読み取り、前記読み取りがなされたカードを、前記載置部から排出する。
【００３９】
請求項２１の発明は、請求項２０に記載のカード情報読取方法において、前記カード情報読取装置は、前記カードが前記載置部から排出されると、前記カードストッカに収納された残りのカードから、他の一枚のカードを、前記載置部に載置する。
【００４０】
請求項２２の発明は、請求項２０または２１に記載のカード情報読取方法において、前記カード情報読取装置は、前記カードを排出する場合、前記載置部から前記カードを落下させるために、前記載置部を下方に傾ける。
【００４１】
請求項２３の発明は、請求項２０乃至２２のうち何れか１項に記載のカード情報読取方法において、前記カード情報読取装置は、前記排出されたカードを、カード回収ボックスにおいて回収する。
【００４２】
請求項２４の発明は、請求項２０に記載のカード情報読取方法において、前記カード情報読取装置は、前記読取がなされたカードを、読取結果に応じて振り分ける。
【００４３】
請求項２５の発明は、請求項２４に記載のカード情報読取方法において、前記カード情報読取装置は、前記振り分け結果に対応してそれぞれ設けられた各回収部を含むカード回収ボックスを備えている。
【００４４】
請求項２６の発明は、請求項２５に記載のカード情報読取方法において、前記カード情報読取装置は、前記振り分けられたカードを、前記振り分け結果に対応して設けられた回収部において回収する。
【００４５】
請求項２７の発明は、請求項２０乃至２６のうち何れか１項に記載のカード情報読取方法において、前記デジタル情報は、前記カードに備えられたＩＣチップに記録されており、前記カード情報読取装置は、前記ＩＣチップに記録された情報を、ＩＣカードリーダによって、電気的に読み取る。
【００４６】
請求項２８の発明は、請求項１９乃至２７のうち何れか１項に記載のカード情報読取方法であって、前記カードは、マイナンバーカードである。
【００４８】
請求項２９の発明は、カードに印字されている文字情報と、前記カードに記録されているデジタル情報とをカード情報読取装置を用いて読み取るためのプログラムであって、収納された複数のカードから、一枚のカードを抽出する機能、前記抽出されたカードに印字されている文字情報を撮像する機能、前記撮像された文字情報を文字認識する機能、前記文字認識された文字情報に基づいて、前記抽出されたカードに記録されているデジタル情報の読取のために必要なキー情報を作成する機能、前記作成されたキー情報を用いて、前記抽出されたカードに記録されているデジタル情報を読み取る機能、前記読取がなされたカードを、読取結果に応じて振り分ける機能を、前記カード情報読取装置のプロセッサに実現させるためのプログラムである。
【００４９】
請求項３０の発明は、前記振り分けがなされた後、前記収納された複数のカードから、他の一枚のカードを抽出する機能を、前記カード情報読取装置のプロセッサに実現させるための請求項２９に記載のプログラムである。
【発明の効果】
【００５０】
本発明によれば、カードに印字されている数字等を含む文字を認識し、認識結果に基づいてキー情報を作成し、キー情報を使ってＩＣチップから情報を読み取る処理までを自動的に実施することが可能なカード情報読取装置、方法、およびプログラムを提供することができる。
【図面の簡単な説明】
【００５１】
【図１】図１は、本発明の第１の実施形態に係るカード情報読取方法が適用されたカード情報読取装置の構成例を示す機能ブロック図である。
【図２】図２は、本発明の第１の実施形態に係るカード情報読取装置を収納する筐体の構成例を示す斜視図である。
【図３】図３は、筐体に撮像部および読取部が設置された状態の一例を示す斜視図である。
【図４】図４は、載置部にマイナンバーカードが載置された状態における筐体の一例を示す斜視図である。
【図５】図５は、本発明の第１の実施形態に係るカード情報読取方法が適用されたカード情報読取装置の動作例を示すフローチャートである。
【図６】図６は、本発明の第２の実施形態に係るカード情報読取方法が適用されたカード情報読取装置の構成例を示す斜視図である。
【図７】図７は、図６に対応するシステム構成図である（扉が開けられている場合）。
【図８】図８は、図６に対応するシステム構成図である（カード押出ツメの移動時）。
【図９】図９は、図６に対応するシステム構成図である（カード押出ツメが戻り、カード落下位置にＧ１ボックスが設定された場合）。
【図１０】図１０は、図６に対応するシステム構成図である（カード押出ツメが戻り、カード落下位置にＮＧボックスが設定された場合）。
【図１１】図１１は、図６に対応するシステム構成図である（カード読取台を傾斜させた状態）。
【図１２】図１２は、カードの落下とセンサによる検知との関係を説明するための図である（センサによる検知前）。
【図１３】図１３は、カードの落下とセンサによる検知との関係を説明するための図である（センサによる検知中）。
【図１４】図１４は、カードの落下とセンサによる検知との関係を説明するための図である（センサによる検知後）。
【図１５】図１５は、図６に対応するシステム構成図である（傾斜したカード読取台を水平に戻している状態）。
【図１６】図１６は、本発明の第２の実施形態に係るカード情報読取方法が適用されたカード情報読取装置の動作例を示すフローチャートである。
【発明を実施するための形態】
【００５２】
以下に、本発明の各実施形態に係るカード情報読取方法が適用されたカード情報読取装置を、図面を参照して説明する。
【００５３】
（第１の実施形態）
先ず、本発明の第１の実施形態に係るカード情報読取方法が適用されたカード情報読取装置について説明する。
【００５４】
図１は、本発明の第１の実施形態に係るカード情報読取方法が適用されたカード情報読取装置の構成例を示す機能ブロック図である。
【００５５】
すなわち、カード情報読取装置１０は、例えばマイナンバーカードのようなカードＣに印字されている文字情報Ｌと、同カードＣに記録されているデジタル情報Ｄとを読み取るための装置であって、撮像部１２と、認識部１４と、作成部１６と、読取部１８と、出力部１９と、これら全体を制御するためのプログラムが格納された制御部１１とを備えている。これらのうち、撮像部１２と読取部１８とは、後で詳述する筐体２０に組み込むことができる。
【００５６】
なお、図１では、制御部１１をカード情報読取装置１０の内部に示しているが、制御部１１はカード情報読取装置１０の外部に設けられていてもよい。
【００５７】
以下の説明では、カードＣが、マイナンバーカードである例について説明するが、カード情報読取装置１０は、マイナンバーカード以外のカードに対しても適用可能である。
【００５８】
撮像部１２は、例えばＷｅｂカメラのようなカメラであって、マイナンバーカードＣの表面（おもてめん）に印字されている文字情報Ｌを撮像し、撮像結果である撮像情報ａを、認識部１４へ出力する。文字情報Ｌは、マイナンバーカードの所有者の生年月日、マイナンバーカードＣの有効期限、およびマイナンバーカードＣ毎に付与されたセキュリティコードを含んでいる。
【００５９】
認識部１４は、撮像情報ａを、例えばＯＣＲ機能を使って文字認識することによって、前述した生年月日、有効期限、およびセキュリティコードを含む文字を認識し、認識結果ｂを作成部１６へ出力する。
【００６０】
マイナンバーカードＣでは、生年月日は、例えば「平成７年１月１０日」、有効期限は、例えば「２０２９年３月３１日」、セキュリティコードは、例えば「１２３４」のように印字されている。したがって、認識結果ｂは、例えば「平成７年１月１０日」、「２０２９年３月３１日」、「１２３４」のようになる。
【００６１】
作成部１６は、認識結果ｂに基づいて、デジタル情報Ｄの読取のために必要なキー情報ｄを作成する。
【００６２】
作成部１６は、例えば「平成７年１月１０日」、「２０２９年３月３１日」、「１２３４」のような認識結果ｂから、１４桁の数字からなるキー情報ｄを作成し、作成したキー情報ｄを読取部１８へ出力する。１４桁の内訳は、生年月日の６桁の数字、有効期限のうちの西暦部分の４桁の数字、および、セキュリティコードの４桁の数字である。したがって、上記のような認識結果ｂが認識部１４から出力された場合、作成部１６は、生年月日「平成７年１月１０日」から「０７０１１０」と認識し、有効期限「２０２９年３月３１日」から「２０２９」と認識し、セキュリティコード「１２３４」から「１２３４」と認識し、これらを連結することによって、「０７０１１０２０２９１２３４」というキー情報ｄを作成し、読取部１８へ出力する。
【００６３】
読取部１８は、作成部１６によって作成されたキー情報ｄを用いて、デジタル情報Ｄを読み取り、読取結果ｅを、出力部１９へ出力する。マイナンバーカードＣの場合、デジタル情報Ｄは、マイナンバーカードＣの裏面（うらめん）に備えられたＩＣチップに記録されている。したがって、読取部１８は、ＩＣチップに記録されたデジタル情報Ｄを、電気的に読み取るＩＣカードリーダとすることができる。
【００６４】
また、マイナンバーカードＣの場合、ＩＣチップに記録されているデジタル情報Ｄは、前述した基本４情報（マイナンバーカード所有者の住所、氏名、生年月日、性別）であるので、読取結果ｅには、これら基本４情報が含まれている。
【００６５】
出力部１９は、読取部１８からの読取結果ｅを、例えば、外部のコンピュータ等に出力することができる。これによって、外部のコンピュータ等において、読取結果ｅから基本４情報を取り出し、基本４情報を使って、マイナンバーカードＣのための基本台帳を作成することができる。
【００６６】
図２は、カード情報読取装置を収納する筐体の構成例を示す斜視図である。
【００６７】
図３は、筐体に撮像部および読取部が設置された状態の一例を示す斜視図である。
【００６８】
筐体２０は、略箱形形状をしており、図２に例示するように、撮像部１２を挿入するための挿入部２２と、読取部１８を収納するための収納部２４とが設けられている。
【００６９】
図３に例示するように、挿入部２２に撮像部１２が挿入され、収納部２４に読取部１８が収納される。
【００７０】
図２に例示するように、挿入部２２の底面の一部には、挿入部２２に撮像部１２が挿入された場合に、撮像部２２の撮像部分（カメラのファインダ）が下方を覗くことができるように開口部２３が設けられている。
【００７１】
筐体２０の一側面は、開口され、光取込部２５を形成している。これによって、筐体２０の周囲の光を、照明光として筐体２０の内部に取り込むことを可能としている。
【００７２】
筐体２０の内部の底面には、マイナンバーカードＣの撮像部１２による撮像時および読取部１８による読取時に、マイナンバーカードＣを載置するための載置部２６が設けられている。載置部２６の幅Ｗは、マイナンバーカードＣの長辺長さに合わされている。
【００７３】
載置部２６から、開口部２３までの高さＨは、撮像部１２として用いられるカメラの焦点距離に合わされている。
【００７４】
載置部２６の両側面には、載置部２６よりも一段高い位置合わせ部２７が設けられており、両位置合わせ部２７によって、載置部２６の幅Ｗが画定されている。したがって、操作担当者は、一枚のマイナンバーカードＣを、載置部２６内に確実に載置し、さらに、マイナンバーカードＣの上辺が、筐体２０の背板に接触するまで、マイナンバーカードＣを筐体２０の奥側に向けて（後述する図４に示す矢印方向に向けて）スライド移動させることによって、マイナンバーカードＣの位置合わせを行うことができる。
【００７５】
図４は、載置部にマイナンバーカードが載置された状態における筐体の一例を示す斜視図である。
【００７６】
載置部２６にマイナンバーカードＣを載置する際には、マイナンバーカードＣの表面が上側（撮像部１２側）になるように、かつ、操作担当者から（光取込部２５側から）見て逆様にならないように載置する。これによって、マイナンバーカードＣの裏面は、載置部２６の底板に面するように載置される。さらに、載置部２６において、マイナンバーカードＣの上辺が、筐体２０の背板に接触するまで、マイナンバーカードＣを筐体２０の奥側に向けて（後述する図４に示す矢印方向に向けて）スライド移動されることによって、マイナンバーカードＣの位置合わせがなされる。
【００７７】
筐体２０の内部には、光取込部２５から、筐体２０の周囲の光が入るので、載置部２６にマイナンバーカードＣの表面が上側になるように載置されると、マイナンバーカードＣの表面は、光取込部２５から入射した光によって照明される。これによって、撮像部１２は、マイナンバーカードＣの表面に印字されている文字情報Ｌを鮮明に撮像することが可能となる。
【００７８】
一方、読取部１８は、収納部２４に収納されると、図３に例示されるように、載置部２６の真下に設置される。これによって、読取部１８は、載置部２６に載置されたマイナンバーカードＣの裏面に備えられたＩＣチップと、板厚Ｔを介して丁度対向する位置に設置される。つまり、読取部１８は、可能な限り、ＩＣチップに近い場所に設置される。これによって、読取部１８は、ＩＣチップから基本４情報を、高感度で読み取ることができる。ただし、ＩＣチップから基本４情報をより高感度で読み取る（すなわち、より短時間で読み取る）ためには、載置部２６の板厚Ｔは、できる限り薄い方がよい。しかしながら、筐体２０の強度を保つために、載置部２６の板厚Ｔは、ある程度の厚みも必要である。したがって、載置部２６の板厚Ｔは、例えば２（ｍｍ）のように、筐体２０の強度を保つために必要な最小厚とする。
【００７９】
これによって、筐体２０の強度の確保と、読取部１８による短時間での読み取りとの両方を実現することができる。
【００８０】
次に、以上のように構成した本発明の第１の実施形態に係るカード情報読取方法が適用されたカード情報読取装置の動作例について説明する。
【００８１】
図５は、本発明の第１の実施形態に係るカード情報読取方法が適用されたカード情報読取装置の動作例を示すフローチャートである。
【００８２】
操作担当者は、図３に例示されるような筐体２０の載置部２６に、図４に例示されているように、表面が上側を向くように、かつ、操作担当者から（光取込部２５側から）見て逆様にならないように、マイナンバーカードＣを載置する（ＳＴ１）。
【００８３】
載置部２６の両側面には、載置部２６よりも一段高い位置合わせ部２７が設けられており、両位置合わせ部２７によって、載置部２６の幅Ｗが画定されている。したがって、操作担当者が、マイナンバーカードＣを、載置部２６内に載置し、さらに、マイナンバーカードＣの上辺が、筐体２０の背板に接触するまで、マイナンバーカードＣを筐体２０の奥側に向けてスライド移動させることによって、マイナンバーカードＣは正しく位置合わせされる。
【００８４】
載置部２６から撮像部１２までの距離Ｈ（すなわち、載置部２６から開口部２３までの高さＨ）は、撮像部１２として用いられるカメラの焦点距離に合わされている。また、筐体２０の周囲の光が、光取込部２５を介して筐体２０の内部に入り込むことによって照明光として寄与し、載置部２６に載置されたマイナンバーカードＣの表面が明るく照明される。このように、ステップＳＴ１において載置部２６にマイナンバーカードＣを載置するだけで、撮像部１２による撮像のための好適な撮像条件が自動的に整えられる。
【００８５】
次に、操作担当者が、制御部１１を操作することによって、撮像部１２による撮像が行われる（ＳＴ２）。上述したように、撮像は、好適な撮像条件の下で行われるために、マイナンバーカードＣの表面に印字されている文字情報Ｌが鮮明に撮像された撮像情報ａが得られ、認識部１４へ出力される。
【００８６】
認識部１４では、撮像情報ａに対して、例えばＯＣＲ機能を使った文字認識がなされ、生年月日、有効期限、およびセキュリティコードを含む文字が認識され、認識結果ｂが作成部１６へ出力される（ＳＴ３）。
【００８７】
作成部１６では、認識結果ｂに基づいて、デジタル情報Ｄの読み取りのために必要なキー情報ｄが作成され、読取部１８へ出力される（ＳＴ４）。
【００８８】
前述したように、撮像情報ａには、文字情報Ｌが鮮明に撮像されているので、認識部１４で得られた認識結果ｂの信頼性は、非常に高いものとなる。従って、それに相応して、作成部１６で作成されたキー情報ｄの信頼性もまた、非常に高いものとなる。
【００８９】
読取部１８では、キー情報ｄを用いて、マイナンバーカードＣの裏面に備えられたＩＣチップから、デジタル情報Ｄが読み取られ、読取結果ｅが出力部１９へ出力される（ＳＴ５）。
【００９０】
読取部１８は、載置部２６に載置されたマイナンバーカードＣの裏面に備えられたＩＣチップと、板厚Ｔを介して最短距離となる場所に設置されている。板厚Ｔは、２（ｍｍ）のように、筐体２０の強度を保つために必要な最小厚とされている。従って、読取部１８は、ＩＣチップに対して可能な限り近い場所に設置されているので、ＩＣチップから、基本４情報を含むデジタル情報Ｄを、より高感度で読み取る（すなわち、より短時間で読み取る）ことができる。また、筐体２０の強度も確保される。
【００９１】
出力部１９は、読取部１８からの読取結果ｅを、例えば、外部のコンピュータ等に出力することができる。これによって、外部のコンピュータ等において、読取結果ｅから基本４情報を取り出し、基本４情報を使って、マイナンバーカードＣのための基本台帳が作成される（ＳＴ６）。
【００９２】
上述したように、本発明の実施形態に係るカード情報読取方法が適用されたカード情報読取装置によれば、マイナンバーカードからの基本４情報の読み取りを、常に最適な条件で、自動的に実施できるようになるので、操作担当者の負担を大幅に低減し、人件費の削減を達成しながら、作業時間の短縮化、および、作業精度の向上を達成することができる。
【００９３】
（第２の実施形態）
次に、本発明の第２の実施形態に係るカード情報読取方法が適用されたカード情報読取装置について説明する。
【００９４】
なお、以下の説明において、第１の実施形態で既に説明された構成については、同一符号で示すことによって、重複説明を避ける。
【００９５】
図６は、本発明の第２の実施形態に係るカード情報読取方法が適用されたカード情報読取装置の構成例を示す斜視図である。
【００９６】
図７は、図６に対応するシステム構成図である。
【００９７】
カード情報読取装置３０は、カード情報読取装置１０の原理を応用して、複数のカードの連続読取処理を実現する装置であり、筐体２０に収納されて構成されている。
【００９８】
なお、本実施形態でもまた、以下の説明では、カードＣが、マイナンバーカードである例について説明するが、カード情報読取装置３０は、マイナンバーカード以外のカードＣに対しても適用可能である。
【００９９】
図６では省略されているが、筐体２０の天板には、カードストッカ３４の上方を含む部分に扉３１が設けられている。扉３１は、カードストッカ３４へのカードＣの投入や、読取処理がなされたカードＣが回収されたカード回収ボックス３７からのカードＣの取り出し、あるいは装置の保守等を行なう際に開かれる。扉３１の開閉は、センサＳ−１５によって監視され、扉３１が開いている時には、可動部であるモータＭ−１、Ｍ−２、Ｍ−３への電力供給が停止されることによって、これら可動部が動作しないように制御部１１によって制御される。
【０１００】
光源３３は、例えばＬＥＤが使用され、撮像部１２によって撮像されるカードＣを照明する。
【０１０１】
カードストッカ３４は、読取処理されるカードＣを収納するための、断面が長方形状をした直立筒状部位であり、上端及び下端が開口している。カードストッカ３４は、下端部において、水平テーブル３２に固定されている。操作担当者は、扉３１を開いて、カードストッカ３４の上端の開口から、カードストッカ３４にカードＣを投入することができる。カードストッカ３４に投入されたカードは、最下層のカードＣが、ちょうど水平テーブル３２の上に置かれた状態となり、最下層のカードＣの上に、次のカードＣが積み重なった状態でカードストッカ３４内に収納される。これによって、複数のカードＣが、カードストッカ３４内で順次積み重ねられた状態で収納される。カードストッカ３４は、例えば、最大１００枚までのカードＣを、このように積み重ねて収納することができる。
【０１０２】
なお、操作担当者は、カードストッカ３４にカードＣを投入する際、カードＣの表面（おもてめん）が上側を向くように、すなわち、操作担当者がカードストッカ３４を上側から見た場合、カードＣの表面が見えるように、カードストッカ３４にカードＣを投入する。これによって、後続する撮像時において、カードＣの表面が確実に撮像されるようになる。
【０１０３】
カードストッカ３４に、カードＣの表面が見えるように収納されていれば、カードＣの表面が逆様に収納されていても構わない。なぜなら、カードＣの表面が逆様になっていても、認識部１４において文字認識処理を行う際、認識部１４は、画像を１８０°回転させてからＯＣＲ処理することによって、カードＣの表面に書かれている文字を認識できるからである。
【０１０４】
カードストッカ３４よりも下方には、反射センサＳ−１が設けられている。カードストッカ３４にカードＣが収納されている場合、反射センサＳ−１は、収納されたカードＣによって反射した光を受光し、受光信号を制御部１１へ出力する。これによって、制御部１１は、カードストッカ３４にカードＣが収納されていると認識する。
【０１０５】
カードストッカ３４の下端は、図７における左右方向に開口している。この開口高さは、カードＣが一枚通過できる寸法に調整されている。また、カードストッカ３４の下端部近傍には、カード押出ツメ３６が設けられている。カード押出ツメ３６は、水平テーブル３２の面よりも、カードＣ一枚の厚み分だけ突出しており、モータＭ−１によって駆動されることにより、図７における左右方向に移動されるように構成されている。
【０１０６】
モータＭ−１は、カード押出ツメ３６の移動のための駆動力を供給する動力源であって、制御部１１によって制御される。
【０１０７】
操作担当者は、カードストッカ３４へのカードＣの投入、かード回収ボックス３７からのカードＣの取り出し、および装置の保守等を完了すると、扉３１を閉じる。
【０１０８】
扉３１が閉じられたことは、センサＳ−１５によって検知され、検知信号が制御部１１へ出力される。
【０１０９】
制御部１１は、センサＳ−１５からの検知信号に応じて、可動部であるモータＭ−１、Ｍ−２、Ｍ−３への電力供給を許可する。
【０１１０】
カードＣの読取処理を開始するためには、先ず、カードストッカ３４の最下層に収納されている一枚のカードＣを、カード押出ツメ３６が、カード読取台３５へ押し出す。これは、モータＭ−１が駆動して、カード押出ツメ３６が、図８において左方向矢印で示すように、カード読取台３５側へ水平移動することによってなされる。
【０１１１】
ただし、この動作は、カード読取台３５が水平状態に維持されていることが前提となる。このため、カード読取台３５の水平状態を検知するセンサＳ−４が備えられている。センサＳ−４は、カード読取台３５が水平状態であることを検知すると、検知信号を、制御部１１へ出力する。制御部１１は、センサＳ−４からの検知信号によって、カード読取台３５が水平状態であると認識し、モータＭ−１を駆動する。
【０１１２】
一方、センサＳ−４からの検知信号がない場合、制御部１１は、カード読取台３５が傾いていると認識し、モータＭ−１の駆動を許可しない。代わりに、モータＭ−２を駆動させることによって、カード読取台３５が水平状態になるように、カード読取台３５の傾きを修正するように制御する。そして、カード読取台３５が水平状態になると、センサＳ−４によって検知され、センサＳ−４から制御部１１へ検知信号が出力され、制御部１１は、カード読取台３５が水平状態になったと認識し、モータＭ−１の駆動を許可する。
【０１１３】
制御部１１によってモータＭ−１が駆動されると、カード押出ツメ３６が、図８における左方向矢印で示すように、カード読取台３５側へ水平移動する。これによって、カード押出ツメ３６は、カードストッカ３４の下端部の開口部３６−１から、カードストッカ３４内に進入し、カードストッカ３４に収納されている最下層にある一枚のカードＣを抽出し、カードストッカ３４の下端部の開口部３６−２を介して、カードストッカ３４の外部へと押し出し、最終的には、このカードＣを、カード読取台３５まで押し出し、載置部２６に載置させる。
【０１１４】
カードＣが載置部２６に載置されるまでカード押出ツメ３６が水平移動したことは、センサＳ−３によって検知される。センサＳ−３は、カード押出ツメ３６を検知すると、検知信号を制御部１１へ出力する。
【０１１５】
センサＳ−３からの検知信号に応じて、制御部１１は、カード押出ツメ３６が、最終位置まで移動したと認識し、モータＭ−１を、逆方向に駆動させる。これによって、カード押出ツメ３６は、逆方向へ移動し、最終的には、開口部３６−１を介してカードストッカ３４内からカードストッカ３４の外に出て、図９に示すように、最初の位置に戻る。カード押出ツメ３６が、最初の位置に戻ったことは、センサＳ−２によって検知される。センサＳ−２は、カード押出ツメ３６を検知すると、検知信号を制御部１１へ出力する。
【０１１６】
センサＳ−２からの検知信号に応じて、制御部１１は、カード押出ツメ３６が、最初の位置に戻ったことを認識し、モータＭ−１の駆動を停止させる。
【０１１７】
カード読取台３５は、カードＣの読取処理が実施される場所であり、第１の実施形態で説明した載置部２６と、載置部２６の下面を構成する読取部１８とから構成される。
【０１１８】
なお、カード情報読取装置１０の場合とは異なり、カード情報読取装置３０では、載置部２６は、筐体２０の強度を担保する必要はないので、載置部２６の下面を、読取部１８自体で構成することができる。
【０１１９】
載置部２６に載置されたカードＣに対しても、第１の実施形態で説明したような撮像部１２、認識部１４、作成部１６、および読取部１８によってなされる一連の読取処理が実施され、読取部１８において読取結果ｅが生成される。
【０１２０】
カード情報読取装置３０では、読取結果ｅは、読取部１８から振分判定部４０へ出力される。
【０１２１】
振分判定部４０は、読取結果ｅに、前述した基本４情報が含まれているか否かに基づいて、読取部１８による読取結果ｅに問題がなかったか（正しくなされたか）否かを判定する。例えば、読取結果ｅに、基本４情報が含まれている場合、振分判定部４０は、読取部１８による読取が正しくなされたと判定する。一方、読取結果ｅに、基本４情報が含まれていない場合、読取部１８による読取が正しくなされなかったと判定することができる。
【０１２２】
振分判定部４０は、読取部１８による読取が正しくなされた判定すると、その旨を示すＯＫ信号を制御部１１へ出力するとともに、読取結果ｅを出力部１９へ出力する。一方、読取部１８による読取が正しくなされなかったと判定すると、その旨を示すＮＧ信号を制御部１１へ出力する。この場合、出力部１９へ読取結果ｅを出力しない。
【０１２３】
制御部１１は、振分判定部４０から出力された信号に応じて、カード回収ボックス３７の位置を制御する。
【０１２４】
カード回収ボックス３７は、カード読取台３５から落下したカードＣを収納するために、カード読取台３５の下方に設けられた箱状の部位であって、一例として、図７〜図１５に示すように、図中左右方向に直列的に配置されたＮＧボックス３７−１、グループ１ボックス３７−２（以下、「Ｇ１ボックス３７−２」と称する）、グループ２ボックス３７−３（以下、「Ｇ２ボックス３７−３」と称する）、及びグループ３ボックス３７−４（以下、「Ｇ３ボックス３７−４」と称する）からなる４種類のボックスを備えている。
【０１２５】
ＮＧボックス３７−１は、読取が正しくなされなかったカードＣ（ＮＧカード）を収納するためのボックスである。振分判定部４０から制御部１１へＮＧ信号が出力された場合、制御部１１は、モータＭ−３を駆動させることによって、図１０に示すように、ＮＧボックス３７−１を、落下位置に設定する。
【０１２６】
Ｇ１ボックス３７−２、Ｇ２ボックス３７−３、及びＧ３ボックス３７−４は、読取が正しくなされたカードＣ（ＯＫカード）を収納するためのボックスである。振分判定部４０から制御部１１へＯＫ信号が出力された場合、制御部１１は、モータＭ−３を駆動させることによって、Ｇ１ボックス３７−２、Ｇ２ボックス３７−３、及びＧ３ボックス３７−４の何れかを落下位置に設定する。
【０１２７】
ＯＫカードは、ＮＧカードよりも多いことが予想されるので、本例では、ＯＫカードを収納するためのボックスとして、Ｇ１ボックス３７−２、Ｇ２ボックス３７−３、及びＧ３ボックス３７−４の３つのボックスを設けている。振分判定部４０からのＯＫ信号に応じて、初期状態では、Ｇ１ボックス３７−２が、設定されるようにしておき、Ｇ１ボックス３７−２が満杯になったら、振分判定部４０からのＯＫ信号に応じて、Ｇ２ボックス３７−３が、設定されるようにしておき、さらにＧ２ボックス３７−３も満杯になったら、振分判定部４０からのＯＫ信号に応じて、Ｇ３ボックス３７−４が、設定されるようにすることができる。
【０１２８】
制御部１１は、振分判定部４０から出力されたＯＫ信号に数をカウントすることによって、Ｇ１ボックス３７−２に何枚のカードＣが収納されているかを認識できる。したがって、Ｇ１ボックス３７−２に所定枚数（例えば、５０枚）のカードＣが収納されていることを認識すると、以降のＯＫ信号に対しては、Ｇ１ボックス３７−２に代えて、Ｇ２ボックス３７−３を設定するようにすればよい。
【０１２９】
すなわち、制御部１１は、振分判定部４０から出力された信号に応じて、カード読取台３５から落下するカードＣが、ＮＧボックス３７−１、Ｇ１ボックス３７−２、Ｇ２ボックス３７−３、及びＧ３ボックス３７−４のうち、どのボックスに回収されるのかを判定し、判定結果に応じて、モータＭ−３を駆動させることによって、カード回収ボックス３７を、図９に示す矢印のように、左右方向に移動させることによって、判定されたボックスを、落下位置に設定する。
【０１３０】
カード回収ボックス３７には、図６に示すように、ＮＧボックス３７−１、Ｇ１ボックス３７−２、Ｇ２ボックス３７−３、及びＧ３ボックス３７−４のおのおのに対応して設けられたボックス検知用フラップ３８−１、３８−２、３８−３、３８−４が設けられている。
【０１３１】
また、カード回収ボックス３７の下部には、光センサＳ−１１、Ｓ−１２、Ｓ−１３、Ｓ−１４が設けられている。
【０１３２】
ボックス検知用フラップ３８−１、３８−２、３８−３、３８−４は、各ボックス３７−１、３７−２、３７−３、３７−４の位置検出のために装着されたハネ状のフラップである。
【０１３３】
例えば、図１０に例示するように、ＮＧボックス３７−１が落下位置に設定された場合、光センサＳ−１４は、ボックス検知用フラップ３８−１、３８−２、３８−３、３８−４の何れによっても遮光されないが、光センサＳ−１３、Ｓ−１２、Ｓ−１１は、ボックス検知用フラップ３８−１、３８−２、３８−３によってそれぞれ遮光される。また、図１１に例示するように、Ｇ１ボックス３７−２が落下位置に設定された場合、光センサＳ−１４、Ｓ−１３、Ｓ−１２、Ｓ−１１は、ボックス検知用フラップ３８−１、３８−２、３８−３、３８−４によってそれぞれ遮光される。Ｇ２ボックス３７−３が落下位置に設定された場合、光センサＳ−１４、Ｓ−１３、Ｓ−１２は、ボックス検知用フラップ３８−２、３８−３、３８−４によってそれぞれ遮光されるが、光センサＳ−１１は、遮光されない。Ｇ３ボックス３７−４が落下位置に設定された場合、光センサＳ−１４、Ｓ−１３は、ボックス検知用フラップ３８−３、３８−４によってそれぞれ遮光されるが、光センサＳ−１１、Ｓ−１２は、遮光されない。
【０１３４】
光センサＳ−１１、Ｓ−１２、Ｓ−１３、Ｓ−１４は、遮光されていない場合にはＯＮ信号を、遮光されている場合にはＯＦＦ信号を、制御部１１へ出力する。
【０１３５】
制御部１１は、各光センサＳ−１１、Ｓ−１２、Ｓ−１３、Ｓ−１４から出力されるＯＮ信号とＯＦＦ信号との組み合わせに基づいて、ボックス３７−１、３７−２、３７−３、３７−４のうちのボックスが、落下位置に設定されたのかを認識する。
【０１３６】
制御部１１は、落下位置に設定されたボックスが、判定されたボックスであることを認識すると、モータＭ−２を駆動させる。モータＭ−２の駆動により、図１１中に矢印で示すように、カード読取台３５は、下方向に徐々に傾斜して行くので、カードＣは、載置部２６から落下し始める。
【０１３７】
モータＭ−２は、カード読取台３５からカードＣが落下した後も、カード読取台３５が、所定の最大傾斜角まで傾斜するまで駆動する。そして、カード読取台３５が、所定の最大傾斜角まで傾斜すると、それはセンサＳ−５によって検知される。
【０１３８】
センサＳ−５は、カード読取台３５が所定の最大傾斜角まで傾斜したことを検知すると、検知信号を、制御部１１へ出力する。制御部１１は、センサＳ−５からの検知信号に応じて、モータＭ−２の駆動を停止させる。
【０１３９】
カード読取台３５と、カード回収ボックス３７との間には、センサＳ−６が設けられている。カード読取台３５から、カードＣが落下したことは、センサＳ−６によって検知される。
【０１４０】
センサＳ−６の動作について、図１２〜図１４を用いて説明する。
【０１４１】
図１２〜図１４は、センサＳ−６の周囲の構成を詳細に示す部分構成図である。
【０１４２】
図１２に示すように、カード読取台３５からカードＣが落下する直前までは、センサＳ−６は、カードＣを検知していないので、ＯＦＦ状態である。
【０１４３】
図１３に示すように、カード読取台３５からカードＣが落下し、センサＳ−６を通過すると、センサＳ−６は、カードＣを検知するので、ＯＮ状態となり、ＯＮ信号を制御部１１へ出力する。
【０１４４】
図１４に示すように、カードＣがさらに落下して、センサＳ−６から一定距離離れると、センサＳ−６は、もはやカードＣを検知しなくなり、ＯＦＦ状態となり、ＯＮ信号を制御部１１へ出力しなくなる。
【０１４５】
このように、カード読取台３５の載置部２６からカードＣが落下すると、センサＳ−６によって検知され、ＯＮ信号が制御部１１へ出力される。
【０１４６】
落下したカードＣは、カード回収ボックス３７のうち、設定されていたボックスに落下する。
【０１４７】
制御部１１では、センサＳ−６からのＯＮ信号を受信すると、載置部２６からカードＣが落下したと認識する。
【０１４８】
制御部１１は、センサＳ−５からの検知信号を受信した後に、さらにセンサＳ−６からのＯＮ信号を受信すると、モータＭ−２を逆方向に駆動させる。これによって、図１５において矢印で示すように、カード読取台３５は再び水平状態に戻る。カード読取台３６が水平状態に戻ると、それはセンサＳ−４によって検知され、センサＳ−４から制御部１１へ検知信号が出力される。
【０１４９】
センサＳ−４からの検知信号に応じて、制御部１１は、カード読取台３６が水平状態に戻ったことを認識する。これによって、次のカードＣの読取準備ができる状態となる。
【０１５０】
また、各ボックス３７−１、３７−２、３７−３、３７−４には、それぞれカードＣを検知するための、例えば光センサであるセンサＳ−７、Ｓ−８、Ｓ−９、Ｓ−１０が設けられており、これらセンサによって、内部にカードＣが存在しているか否かが検知される。センサＳ−７、Ｓ−８、Ｓ−９、Ｓ−１０は、カードＣを検知すると、検知信号を、制御部１１へ出力する。制御部１１は、この検知信号に応じて、各ボックス３７−１、３７−２、３７−３、３７−４におけるカードＣの存在を認識する。
【０１５１】
出力部１９は、振分判定部４０から出力された読取結果ｅを、第１の実施形態に係るカード情報読取装置１０と同様に、外部のコンピュータ等に出力することができる。これによって、外部のコンピュータ等において、読取結果ｅから基本４情報を取り出し、基本４情報を使って、マイナンバーカードＣのための基本台帳を作成することができる。
【０１５２】
次に、以上のように構成した本発明の第２の実施形態に係るカード情報読取方法が適用されたカード情報読取装置の動作例について説明する。
【０１５３】
図１６は、本発明の第２の実施形態に係るカード情報読取方法が適用されたカード情報読取装置の動作例を示すフローチャートである。
【０１５４】
カード情報読取装置３０の動作は、図１６に示すように、未読取カードのセット（ＳＴ１１、ＳＴ１２）、未読取カードの読取準備（ＳＴ１３）、未読取カードの読取処理（ＳＴ１４）、読取済カードの振分処理（ＳＴ１５、ＳＴ１６）、ＯＫカードの回収および読取結果の取得（ＳＴ１７）、及びＮＧカードの回収（ＳＴ１８）からなる各段階を含む。
【０１５５】
カード情報読取装置３０によって複数のカードＣに対する情報読取処理を連続的に行うために、操作担当者は、扉３１を開け、未読取のカードＣを、上側から表面が見えるようにカードストッカ３４に入れる（ＳＴ１１）。カードＣは、表面が上側を向くようにカードストッカ３４に収納されれば、逆様になっていても構わない。カードストッカ３４は、例えば、最大１００枚までのカードＣを、積み重ねて収納することができる。
【０１５６】
操作担当者はまた、カード回収ボックス３７から、前回の読取処理で振り分けられたカードＣを取り出す。カード回収ボックス３７からすべてのカードＣが取り出されたことは、センサＳ−７、Ｓ−８、Ｓ−９、Ｓ−１０からの検知信号がないことによっても確認できる。
【０１５７】
蓋３１の開状態は、センサＳ−１５によって検知され、それに応じて、制御部１１は、可動部であるモータＭ−１、Ｍ−２、Ｍ−３への電力供給を停止するので、蓋３１が開いている間は、可動部が動作することはない。したがって、作業を行う操作担当者の安全性が確保される。
【０１５８】
操作担当者は、未読取のカードＣのカードストッカ３４への投入、およびカード回収ボックス３７からのカードＣの取り出しを終えると、扉３１を閉じる。扉３１の閉状態もまたセンサＳ−１５によって検知され、それに応じて、制御部１１は、可動部であるモータＭ−１、Ｍ−２、Ｍ−３へ電力を供給できるようになる。これによって、カード情報読取装置３０は、以降の段階に進むことが可能となる。
【０１５９】
扉３１が閉められると、反射センサＳ−１によって、カードストッカ３４にカードＣが収納されているか否かが検知される（ＳＴ１２）。
【０１６０】
反射センサＳ−１から検知信号が出力されない場合（ＳＴ１２：Ｎｏ）、制御部１１は、カードストッカ３４にカードＣが収納されていないと認識し、アラームを発するなどして、カードストッカ３４にカードＣが収納されていないことを操作担当者に伝える。これに応じて、操作担当者は、再び扉３１を開け、カードストッカ３４にカードＣを収納した後に、扉３１を閉める。
【０１６１】
反射センサＳ−１から検知信号が出力された場合（ＳＴ１２：Ｙｅｓ）、制御部１１は、カードストッカ３４にカードＣが収納されていると認識し、未読取カードの読取準備（ＳＴ１３）に進む。
【０１６２】
未読取カードの読取準備（ＳＴ１３）では、センサＳ−４によって、カード読取台３５の水平状態が保たれているか否かが検知される。
【０１６３】
センサＳ−４から検知信号が出力されない場合、制御部１１は、カード読取台３５が傾いていると認識し、モータＭ−２を動作させることによって、カード読取台３５が水平になるように調整する。この調整は、センサＳ−４によって、カード読取台３５の水平が検知されるまで繰り返される。
【０１６４】
センサＳ−４によってカード読取台３５の水平が検知された場合、制御部１１は、カード押出ツメ３６の押し出し動作を開始するために、モータＭ−１を駆動させる。
【０１６５】
モータＭ−１が駆動すると、図８に示すように、カード押出ツメ３６が、押出開始位置から移動を開始し、カードストッカ３４の開口３６−１から、カードストッカ３４内に進入する。これによって、カード押出ツメ３６は、カードストッカ３４に収納されている最下層にある一枚のカードＣを、カードストッカ３４の開口３６−２から、カード読取台３５まで押し出す。これによって、一枚のカードＣが、カード読取台３５の載置部２６に載置される。
【０１６６】
カード押出ツメ３６が押出終了位置まで移動すると、それはセンサＳ−３によって検知される。センサＳ−３からの検知信号に応じて、制御部１１は、カード押出ツメ３６が押出終了位置まで移動したと認識し、モータＭ−１の逆方向への駆動を開始させる。これによって、カード押出ツメ３６は、押出終了位置から、押出開始位置に向かって戻り始める。
【０１６７】
図９に示すように、カード押出ツメ３６が押出開始位置まで戻ると、それはセンサＳ−２によって検知される。センサＳ−２からの検知信号に応じて、制御部１１は、カード押出ツメ３６が押出開始位置に戻ったと認識し、モータＭ−１の駆動を終了する。
【０１６８】
載置部２６から撮像部１２までの距離は、撮像部１２として用いられるカメラ（例えば、Ｗｅｂカメラ）の焦点距離に合わされている。また、光源３３であるＬＥＤからの光によって、載置部２６に載置されたカードＣの表面が明るく照明される。これによって、撮像部１２による撮像のための好適な撮像条件が整えられる。
【０１６９】
この状態において、撮像部１２によって、カードＣの表面の撮像が行われる。上述したように、撮像は、好適な撮像条件の下で行われるために、カードＣの表面に印字されている文字情報Ｌが鮮明に撮像された撮像情報ａが得られ、認識部１４へ出力される。
【０１７０】
認識部１４では、撮像情報ａに対して、例えばＯＣＲ機能を使った文字認識がなされ、生年月日、有効期限、およびセキュリティコードを含む文字が認識され、その認識結果ｂが作成部１６へ出力される。なお、載置部２６に載置されたカードＣの表面が逆様になっていても、認識部１４は、撮像情報ａを１８０°回転させてからＯＣＲ処理することによって、カードＣの表面に書かれている文字を認識することができる。
【０１７１】
作成部１６では、認識結果ｂに基づいて、デジタル情報Ｄの読取のために必要なキー情報ｄが作成され、読取部１８へ出力される。
【０１７２】
前述したように、撮像情報ａには、文字情報Ｌが鮮明に撮像されているので、認識部１４で得られた認識結果ｂの信頼性は、非常に高いものとなる。従って、それに相応して、作成部１６で作成されたキー情報ｄの信頼性もまた、非常に高いものとなる。
【０１７３】
読取部１８では、キー情報ｄを用いて、マイナンバーカードＣの裏面に備えられたＩＣチップから、デジタル情報Ｄが読み取られ、読取結果ｅが、振分判定部４０へ出力される（ＳＴ１４）。
【０１７４】
振分判定部４０では、読取結果ｅに、基本４情報が含まれているか否かに基づいて、読取部１８による読取結果に問題がなかったか（正しくなされたか）否かが判定される（ＳＴ１５）。
【０１７５】
例えば、読取結果ｅに、基本４情報が含まれている場合、振分判定部４０では、読取部１８による読取が正しくなされたと判定され、その旨を示すＯＫ信号が、制御部１１へ出力される。また、振分判定部４０から出力部１９へ読取結果ｅが出力される（ＳＴ１６：Ｙｅｓ）。
【０１７６】
一方、読取結果ｅに、基本４情報が含まれていない場合、振分判定部４０では、読取部１８による読取が正しくなされなかったと判定され、その旨を示すＮＧ信号が、制御部１１へ出力される。この場合、振分判定部４０から出力部１９へ読取結果ｅは出力されない（ＳＴ１６：Ｎｏ）。
【０１７７】
振分判定部４０から制御部１１へＯＫ信号が出力された場合（ＳＴ１６：Ｙｅｓ）、制御部１１は、モータＭ−３を駆動させることによって、Ｇ１ボックス３７−２を、落下位置に移動させる。
【０１７８】
そして、Ｇ１ボックス３７−２が落下位置に設定された場合、図９に示すように、光センサＳ−１４、Ｓ−１３、Ｓ−１２、Ｓ−１１は、ボックス検知用フラップ３８−１、３８−２、３８−３、３８−４によってそれぞれ遮光される。
【０１７９】
制御部１１は、光センサＳ−１４、Ｓ−１３、Ｓ−１２、Ｓ−１１のすべてからＯＦＦ信号が送信されたことに基づいて、Ｇ１ボックス３７−２が、落下位置に設定されたことを認識する。
【０１８０】
認識部１１は、落下位置にＧ１ボックス３７−２が設定されたことを認識すると、モータＭ−２を駆動させる。モータＭ−２の駆動により、図１１における矢印に示すように、カード読取台３５は、下方向に徐々に傾斜して行くので、カードＣは、載置部２６から落下し始める。
【０１８１】
これによって、載置部２６からＯＫカードが落下し、Ｇ１ボックス３７−２に回収される。また、振分判定部４０からは、このカードＣの読取結果ｅが出力部１９へ出力される。出力部１９は、この読取結果ｅを、外部のコンピュータ等に出力することができる。このようにして、ＯＫカードの回収と、その読取結果ｅの取得とがなされる（ＳＴ１７）。
【０１８２】
一方、振分判定部４０から制御部１１へＮＧ信号が出力された場合（ＳＴ１６：Ｎｏ）、制御部１１は、モータＭ−３を駆動させることによって、図１０に示すように、ＮＧボックス３７−１を、落下カード収納位置に移動させる。
【０１８３】
ＮＧボックス３７−１が落下位置に設定された場合、光センサＳ−１３、Ｓ−１２、Ｓ−１１は、ボックス検知用フラップ３８−１、３８−２、３８−３によってそれぞれ遮光される一方、光センサＳ−１４は、遮光されず、光を検出する。したがって、光センサＳ−１３、Ｓ−１２、Ｓ−１１は、ＯＦＦ信号を、光センサＳ−１４は、ＯＮ信号を、制御部１１へ出力する。
【０１８４】
これに応じて、制御部１１は、ＮＧボックス３７−１が落下カード収納位置に設定されていると認識し、モータＭ−２を駆動させることによって、カード読取台３５を下方向に傾ける。これによって、前述したように、カード読取台３５が下方向に傾き、載置部２６から、読取が正しくなされなかったカードＣであるＮＧカードが落下し、ＮＧボックス３７−１に回収される（ＳＴ１８）。
【０１８５】
なお、カード読取台３５と、カード回収ボックス３７との間には、センサＳ−６が設けられている。
【０１８６】
図１２に示すように、カード読取台３５からカードＣが落下する直前まで、センサＳ−６は、カードＣを検知していないので、ＯＦＦ状態である。
【０１８７】
図１３に示すように、カード読取台３５からカードＣが落下し、センサＳ−６を通過すると、センサＳ−６は、カードＣを検知するので、ＯＮ状態となり、ＯＮ信号を制御部１１へ出力する。
【０１８８】
図１４に示すように、カードＣがさらに落下して、センサＳ−６から一定距離離れると、センサＳ−６は、もはやカードＣを検知しなくなり、ＯＦＦ状態となり、ＯＮ信号を制御部１１へ出力しなくなる。
【０１８９】
このように、カード読取台３５の載置部２６からカードＣが落下すると、センサＳ−６によって検知され、ＯＮ信号が制御部１１へ出力される。
【０１９０】
制御部１１では、センサＳ−６からのＯＮ信号を受信すると、載置部２６からカードＣが落下したと認識し、モータＭ−２を逆方向に駆動させる。これによって、図１５における矢印に示すように、カード読取台３５は再び水平状態に戻る。カード読取台３６が水平状態に復帰したことは、センサＳ−４によって検知され、これによって、制御部１１は、カード読取台３６が水平状態となったことを認識する。これによって、ステップＳＴ２に戻り、次のカードＣの読取準備ができる状態となる。
【０１９１】
上述したステップＳＴ１２からステップＳＴ１８までが繰り返され、ステップＳＴ１１においてカードストッカ３４に収納されたすべてのカードＣの読取処理が終了する（ＳＴ１２：Ｎｏ）と、操作担当者は、扉３１を開けて、ＯＫカードを、Ｇ１ボックス３７−２から、ＮＧカードを、ＮＧボックス３７−１からそれぞれ取り出すことができる。
【０１９２】
ＮＧボックス３７−１から取り出したＮＧカードについては、次に読取処理を行う未読取のカードＣとともに、再びカードストッカ３４に収納される（ＳＴ１１）ことによって、再度読取処理を実施することができる。
【０１９３】
このような動作によって、カード情報読取装置３０は、複数のカードＣの読取処理を連続的に実施することができる。そして、ＯＫカードを、その読取結果ｅとともに取得できるのみならず、ＮＧカードについては、ＯＫカードと分別されるので、次回の連続読取処理用のカードとして、カードストッカ３４に収納することによって、再び読取処理が行われるようにすることができる。
【０１９４】
なお、上記では、ＯＫカードと、ＮＧカードとの２種類に振り分ける場合を例に説明したが、ＯＫカードに対して、振分判定部４０にてなされる振分条件を細設定することによって、（例えば、男女別、年代別、居住地域別等のように）更に細かく振り分けて回収することができる。これによって、その後の仕分作業等の負担を大幅に軽減することも可能となる。
【０１９５】
例えば、ＯＫカードを、居住地域α、β、γ別に３つのグループに分類したい場合、振分判定部４０は、読取結果ｅから住所を把握し、α地域の住民を表すＯＫα信号と、β地域の住民を表すＯＫβ信号と、γ地域の住民を表すＯＫγ信号とを生成し、制御部１１へ出力する。
【０１９６】
そして、制御部１１は、ＯＫα信号を受信した場合、モータＭ−３を駆動させることによって、Ｇ１ボックス３７−２を、ＯＫβ信号を受信した場合、Ｇ２ボックス３７−３を、ＯＫγ信号を受信した場合、Ｇ３ボックス３７−４を、それぞれ落下カード収納位置に移動させる。
【０１９７】
なお、ＯＫカード用のボックスの数は、上述したように３つに限定されず、１つ、２つ、あるいは４つ以上であってもよい。そして、この数に応じた数のＯＫ信号を振分判定部４０が生成することによって、ＯＫカードをより細かく振り分けて回収することも可能となる。
【０１９８】
以上のように、本実施形態に係るカード情報読取方法が適用されたカード情報読取装置によれば、カードに印字されている数字を含む文字情報を認識し、認識結果に基づいてキー情報を作成し、キー情報を使ってＩＣチップから情報を読み取る処理までを、複数のカードを対象として連続的かつ自動的に実施することができる。
【０１９９】
しかも、正しく読み取れなかったカードＣ（ＮＧカード）については、まとめて回収することができるので、後でまとめて再度読取処理を実行することもできるなど、操作担当者の負担を大きく軽減することが可能となる。
【０２００】
さらには、正しく読み取ることができたカードＣ（ＯＫカード）に対しても、振分判定部４０にてなされる振分条件を細設定することによって、任意の種類数に振り分けて回収することもできるので、その後の仕分作業等の負担を大幅に軽減することも可能となる。
【０２０１】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【産業上の利用可能性】
【０２０２】
本発明のカード情報読取装置、方法、およびプログラムは、マイナンバーカードのみならず、印字された文字情報と、記録されたデジタル情報とを備え、文字情報に基づいて作成されるキー情報が、デジタル情報の読取のために使用されるカードであれば、同様に適用することが可能である。
【符号の説明】
【０２０３】
１０・・カード情報読取装置
１１・・制御部
１２・・撮像部
１４・・認識部
１６・・作成部
１８・・読取部
１９・・出力部
２０・・筐体
２２・・撮像部
２２・・挿入部
２３・・開口部
２４・・収納部
２５・・光取込部
２６・・載置部
２７・・位置合わせ部
３０・・カード情報読取装置
３３・・光源
３４・・カードストッカ
３５・・カード読取台
３６・・カード押出ツメ
３６−１、３６−２・・開口部
３７・・カード回収ボックス
３７−１・・ＮＧボックス
３７−２・・Ｇ１ボックス
３７−３・・Ｇ２ボックス
３７−４・・Ｇ３ボックス
３８・・ボックス検知用フラップ
４０・・振分判定部
ａ・・撮像情報
ｂ・・認識結果
Ｃ・・マイナンバーカード
ｄ・・キー情報
Ｄ・・デジタル情報
ｅ・・読取結果
Ｈ・・高さ、距離
Ｌ・・文字情報
Ｍ−１〜３・・モータ
Ｓ−１〜１４・・センサ
Ｔ・・板厚
Ｗ・・幅
【要約】
【課題】  カードに印字されている数字を含む文字情報を認識し、認識結果に基づいてキー情報を作成し、キー情報を使ってＩＣチップから情報を読み取る処理までを自動的に実施すること。
【解決手段】  カードに印字されている文字情報と、カードに記録されているデジタル情報とを読み取るためのカード情報読取装置であって、文字情報を撮像する撮像部と、撮像部によって撮像された文字情報を文字認識する認識部と、認識部によって文字認識された文字情報に基づいて、デジタル情報の読取のために必要なキー情報を作成する作成部と、作成部によって作成されたキー情報を用いて、デジタル情報を読み取る読取部とを備えている。
【選択図】図１【図１】
0006821847.tif 000002
【図２】
0006821847.tif 000003
【図３】
0006821847.tif 000004
【図４】
0006821847.tif 000005
【図５】
0006821847.tif 000006
【図６】
0006821847.tif 000007
【図７】
0006821847.tif 000008
【図８】
0006821847.tif 000009
【図９】
0006821847.tif 000010
【図１０】
0006821847.tif 000011
【図１１】
0006821847.tif 000012
【図１２】
0006821847.tif 000013
【図１３】
0006821847.tif 000014
【図１４】
0006821847.tif 000015
【図１５】
0006821847.tif 000016
【図１６】
0006821847.tif 000017